【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
プロセスプラントを制御するための第１のクライアントデバイス上でユーザインターフェースセッションを開始する方法であって、
第１のクライアントデバイスからセッション要求を受信することと、
前記セッション要求に関連するユーザプロフィールを識別することと、
以前のセッションが存在するかどうかを判定することと、および
以前のセッションが存在しない場合に、デフォルトセッション構成を用いて新しいセッションをインスタンス化することと、又は
以前のセッションが存在する場合に、前記以前のセッションに従って新しいセッションをインスタンス化することと、
を含む方法。
【請求項２】
前記セッション要求に関連するユーザプロフィールを識別することが、前記ユーザプロフィールに関連するユーザ識別子を前記第１のクライアントデバイスから受信することを含み、前記ユーザ識別子が、前記第１のクライアントデバイスに現在ログインされ、
前記セッション要求に関連するユーザプロフィールを識別することが、前記ユーザプロフィールに関連するユーザ識別子を前記第１のクライアントデバイスから受信することを含み、前記ユーザ識別子が、第２のクライアントデバイスに現在ログインされる、請求項１に記載の方法。
【請求項３】
前記第２のクライアントデバイスの上で動作するセッションに従ってセッションを第１のクライアントデバイス上でインスタンス化することに関する要求を前記第２のクライアントデバイスに伝送することと、および
前記第２のクライアントデバイスから確認を受信することと、
をさらに含む、請求項２に記載の方法。
【請求項４】
以前のセッションが存在するかどうかを判定することが、前記第１のクライアントデバイスから前記以前のセッションに関連するセッション識別子を要求すること、又は、
以前のセッションが存在するかどうかを判定することが、前記セッション識別子の要求に応答して前記第１のクライアントデバイスからセッション識別子を受信すること、又は、  以前のセッションが存在するかどうかを判定することが、前記セッション要求と共にセッション識別子を受信すること、の少なくとも１つを含む、請求項１〜請求項３のいずれか一項に記載の方法。
【請求項５】
前記以前のセッションに従って新しいセッションをインスタンス化することが、
前記セッション要求と共にセッション識別子が受信されたかどうかを判定することと、
前記セッション要求と共にセッション識別子が受信された場合に、前記セッション識別子に関連するセッションをインスタンス化することと、又は
前記セッション要求と共にセッション識別子が受信されなかった場合に、直近のセッションに関連するセッションをインスタンス化することと、
を含む、請求項１〜請求項４のいずれか一項に記載の方法。
【請求項６】
直近のセッションに関連するセッションをインスタンス化することが、前記第１のクライアントデバイスに関連するユーザ識別子の直近のセッションに関連するセッションをインスタンス化することを含む、請求項１〜請求項５のいずれか一項に記載の方法。
【請求項７】
プロセスプラントの制御を容易にするように構成されるサーバであって、
プロセッサと、
前記プロセッサに結合され、プロセス制御システムで実装されるプロセス制御デバイスに関係するデータを伝送するための１つ以上の通信リンクを含むネットワークを介して通信するように構成される、ネットワークインターフェースと、
前記プロセッサに通信可能に結合されるメモリデバイスであり、前記プロセッサに、
前記ネットワークインターフェースを介してセッション要求を受信させ、
前記セッション要求に関連するユーザプロフィールを識別させ、
（ｉ）前記プロセス制御システムに実装される第１のプロセス制御デバイスに関係する情報を表示するように構成される、前記識別されたユーザプロフィールに関連する以前のセッション、又は（ｉｉ）前記第１のプロセス制御デバイスに関係する情報を表示するように構成されるデフォルトセッション、のうちの少なくとも１つに関係する、前記メモリデバイスに格納されるセッション情報を識別させ、
前記セッション情報に基づいて、前記第１のプロセス制御デバイスに関係する情報を含む、新しいユーザインターフェースセッションを表す新しいセッションデータを識別させ、および
前記新しいセッションデータを受信するクライアントデバイスが前記新しいセッションデータに従って前記第１のプロセス制御デバイスに関係する情報を表示するグラフィカルユーザインターフェース（ＧＵＩ）を生成できるように、前記ネットワークインターフェースを介して前記新しいセッションデータを伝送させる、
ように前記プロセッサによって実行可能な機械可読命令を備える、メモリデバイスと、
を備えるサーバ。
【請求項８】
前記セッション要求が、第１のクライアントデバイスでユーザインターフェースセッションを開始することに関する要求を表し、
前記プロセッサに前記新しいセッションデータを伝送させる命令が、前記プロセッサに、前記新しいセッションデータを前記第１のクライアントデバイスに伝送させる命令を含む、
請求項７に記載のサーバ。
【請求項９】
前記プロセッサに前記セッション要求に関連するユーザプロフィールを識別させる命令が、前記プロセッサに前記ユーザプロフィールに関連するユーザ識別子を識別させる命令を含み、
前記メモリデバイスが、前記プロセッサに、
第２のクライアントデバイスでアクティブであるセッションが前記ユーザ識別子に関連することを判定させる命令と、
前記第２のクライアントデバイスでアクティブである前記セッションに従って前記第１のクライアントデバイスの上で前記セッションをインスタンス化することに関する要求を前記第２のクライアントデバイスに伝送させる命令と、および
前記第２のクライアントデバイスから確認を受信させる命令と、
をさらに含む、請求項８に記載のサーバ。
【請求項１０】
前記プロセッサに結合されるディスプレイをさらに含み、前記機械可読命令が、前記プロセッサに、前記新しいセッションデータに従って前記ディスプレイを介して第２のＧＵＩを提供させる命令をさらに含み、前記第２のＧＵＩが前記第１のプロセス制御デバイスに関係する情報を表示する、請求項７に記載のサーバ。
【請求項１１】
前記プロセッサにセッション情報を識別させる命令が、前記プロセッサに、
前記ネットワークインターフェースを介して、前記セッション要求に関連するセッション識別子を受信させる命令と、
前記以前のセッションが前記セッション識別子に関連することを判定させる命令と、および
前記以前のセッションに関係するセッション情報を識別させる命令と、
を含む、請求項７に記載のサーバ。
【請求項１２】
プロセスプラントの制御を容易にするためにプロセス制御グラフィカルユーザインターフェース（ＧＵＩ）を提供するように構成されるデバイスであって、
プロセッサと、
前記プロセッサに結合される入力インターフェースと、
前記プロセッサに結合されるディスプレイと、
前記プロセッサに結合され、ネットワークを介して通信するように構成され、前記ネットワークがプロセス制御システムに実装される１つ以上のプロセス制御デバイスに関係するデータを伝送するための１つ以上の通信リンクを含む、ネットワークインターフェースと、
前記プロセッサに結合され、前記プロセッサに、
前記入力インターフェースを介して検出されるユーザ入力に応答して、前記デバイスでユーザインターフェースセッションを開始することに関する要求を表すセッション要求を生成させ、
前記ネットワークインターフェースを介して前記セッション要求を伝送させ、
前記ネットワークインターフェースを介して、前記プロセス制御システムで実装される第１のプロセス制御デバイスに関係する情報を含む新しいセッションデータを受信させ、前記新しいセッションデータは、（ｉ）第１のプロセス制御デバイスに関係する情報がその間に提供された以前のセッション又は（ｉｉ）前記第１のプロセス制御デバイスに関係する情報を提供するように構成されるデフォルトセッション、のうちの少なくとも１つに対応する新しいユーザインターフェースセッションを表し、および
前記ディスプレイを介して、前記新しいセッションデータに従って前記第１のプロセス制御デバイスに関係する情報を含むＧＵＩを表示させる、
前記プロセッサによって実行可能な機械可読命令を格納するメモリデバイスと、
を備えるデバイス。
【請求項１３】
前記第１のプロセス制御デバイスに関係する情報を含むＧＵＩを前記プロセッサに表示させる命令が、前記プロセッサに
前記第１のプロセス制御デバイスのステータス、
前記第１のプロセス制御デバイスによって生成されるパラメータ、
前記第１のプロセス制御デバイスによって検出されるプロセス出力、及び
前記第１のプロセス制御デバイスのグラフィカル表現、
のうちの少なくとも１つを表示させる命令を含む、請求項１２に記載のデバイス。
【請求項１４】
前記第１のプロセス制御デバイスに関係する情報を含むＧＵＩをプロセッサに表示させる命令が、前記プロセッサに、
前記第１のプロセス制御デバイスに関係するアラーム、
前記第１のプロセス制御デバイスに関係する作業項目、および
前記第１のプロセス制御デバイスに関係する手順、
のうちの少なくとも１つを表示させる命令を含む、請求項１２に記載のデバイス。
【請求項１５】
プロセスを制御するためのユーザインターフェースセッションを開始するプロセス制御システムであって、
プロセスプラントでのプロセスの制御又は監視に用いられるように構成され、ネットワークに通信可能に接続される、第１のプロセス制御デバイスと、
前記ネットワークを介して、前記プロセスプラントを制御するためのユーザインターフェースセッションを開始することに関するセッション要求を伝送するように構成される第１のクライアントデバイスと、
前記ネットワークに通信可能に接続されるサーバであり、
（ｉ）前記ネットワークを介して前記セッション要求を受信し、
（ｉｉ）前記セッション要求に関連するユーザプロフィールを識別し、
（ｉｉｉ）新しいセッションをインスタンス化する、
ように構成され、
以前のセッションに関するセッションデータが前記サーバによってアクセス可能なメモリデバイスに格納されるときに、前記新しいセッションがセッションデータに従ってインスタンス化され、
以前のセッションに関するセッションデータが前記サーバによってアクセス可能なメモリデバイスに格納されないときに、前記新しいセッションがデフォルトセッション構成に従ってインスタンス化され、および
（ｉｖ）前記新しいセッションがアクティブである間に、前記ネットワークを介して、前記第１のプロセス制御デバイスに関係する情報を含む新しいセッションデータを伝送する、
ように構成される、サーバと、
を備え、前記第１のクライアントデバイスがさらに、
前記ネットワークを介して、前記第１のプロセス制御デバイスに関係する情報を含む前記新しいセッションデータを受信し、
前記新しいセッションデータに従ってグラフィカルユーザインターフェース（ＧＵＩ）を表示する、
ように構成され、前記ＧＵＩが、前記第１のプロセス制御デバイスに関係する情報を提供する、システム。
【請求項１６】
前記サーバに結合され、共通の形式を用いて、構成データ、計測データ、バッチデータ、連続データ、及びイベントデータから選択される複数のタイプのプロセスデータを含む、前記プロセスプラントに対応するプロセスデータを格納するように構成された１つ以上のデータストレージデバイスを含む、ユニット式の論理データストレージ領域をさらに含み、前記第１のプロセス制御デバイスに関係する情報が、前記プロセスデータのうちの少なくともいくつかを含む、請求項１５に記載のプロセス制御システム。